(57)【要約】【課題】プラグケーブルからの引抜力に対して強力な保持力を有する単頭ジャックを提供する。【解決手段】プラグ差込部２の後部に、差し込んだ単頭プラグ１３の心棒１６の先端部分を弾性的に挟んで保持する導電端子兼用のプラグ保持部材５が設けられ、プラグ保持部材５は、導電性ばね材からなる板状の本体部６の両側に側板部７が折曲げられ、側板部７の上端に相対向する保持舌片８が折曲形成されたものであり、本体部６および側板部７をプラグ差込部２の外側に配置し、保持舌片８をプラグ差込部２の内部に突出させ、保持舌片８により単頭プラグ１３の電極１４aを挟んで保持している。【選択図】図５
2012048826.tif 000002
【特許請求の範囲】
【請求項１】
単頭プラグを装着するプラグ差込部を有する絶縁性のハウジングを備えた単頭ジャックにおいて、
前記プラグ差込部の後部に、前記プラグ差込部に差し込んだ前記単頭プラグの心棒の先端部分を弾性的に挟んで保持する導電端子兼用のプラグ保持部材が設けられていることを特徴とする単頭ジャック。
【請求項２】
前記プラグ保持部材は、導電性ばね材からなる板状の本体部の両側に側板部が折曲げられ、該側板部の上端に相対向する保持舌片が折曲形成されたものであり、前記本体および前記側板部を前記プラグ差込部の外側に配置し、前記保持舌片を前記プラグ差込部の内部に突出させ、該保持舌片により単頭プラグの電極を挟んで保持していることを特徴とする請求項１記載の単頭ジャック。
【請求項３】
前記単頭プラグは、先端に先太りの傾斜面を有する電極を備えており、該傾斜面に前記プラグ保持部材が当接することを特徴とする請求項１又は２記載の単頭ジャック。
【発明の詳細な説明】
【技術分野】
【０００１】
本発明は、単頭ジャックに関し、特に、単頭プラグを挿入した際の保持力を強化した単頭ジャックに関する。
【背景技術】
【０００２】
従来、４極分割された心棒部を備えた単頭プラグおよびこの単頭プラグ接続する４極単頭ジャックがある（例えば、特許文献１参照）。
また、多極分割された心棒部を備えた単頭プラグを抜き差しする単頭ジャックとして、電気接続部の交換を速やかに行うようにしたものがある（例えば、特許文献２参照）。
【先行技術文献】
【特許文献】
【０００３】
【特許文献１】特開２０１０−４９８３８号公報
【特許文献２】特開２００３−１９００８５号公報
【発明の概要】
【発明が解決しようとする課題】
【０００４】
上記の先行技術文献に見られるような単頭ジャックは、単頭プラグの保持力についてはあまり考慮されていないため、プラグケーブルから単頭プラグに引抜力が加わると、単頭プラグが単頭ジャックから抜けることがあった。特に、単頭ジャックをテレビ受像機の下面に搭載されるような場合、プラグケーブルの自重がかかりやすく、従来の単頭ジャックでは単頭プラグが抜けるおそれがあった。
【０００５】
本発明は、上記課題を解決したもので、プラグケーブルからの引抜力に対して強力な保持力を有する単頭ジャックを提供することを目的とする。
【課題を解決するための手段】
【０００６】
上記課題を解決するため、請求項１記載の単頭ジャックは、単頭プラグを装着するプラグ差込部を有する絶縁性のハウジングを備えた単頭ジャックにおいて、前記プラグ差込部の後部に、前記プラグ差込部に差し込んだ前記単頭プラグの心棒の先端部分を弾性的に挟んで保持する導電端子兼用のプラグ保持部材が設けられていることを特徴とするものである。
【０００７】
請求項２記載の単頭ジャックは、請求項１記載の単頭ジャックであって、前記プラグ保持部材は、導電性ばね材からなる板状の本体部の両側に側板部が折曲げられ、該側板部の上端に相対向する保持舌片が折曲形成されたものであり、前記本体部および前記側板部を前記プラグ差込部の外側に配置し、前記保持舌片を前記プラグ差込部の内部に突出させ、該保持舌片により単頭プラグの電極を挟んで保持していることを特徴とするものである。
【０００８】
請求項３記載の単頭ジャックは、請求項１又は２記載の単頭ジャックであって、前記単頭プラグは、先端に先太りの傾斜面を有する電極を備えており、該傾斜面に前記プラグ保持部材が当接することを特徴とするものである。
【発明の効果】
【０００９】
本発明によれば、プラグ挿入部に設けたプラグ保持部材が単頭プラグを保持するので、プラグケーブルからの引抜力に対して強力な保持力を持たせることができる。
【図面の簡単な説明】
【００１０】
【図１】本発明の単頭ジャックの側面図である。後面図、、図４は、図１のＡ−Ａ線断面図である。
【図２】単頭ジャックの後面図である。
【図３】単頭ジャックの斜視図である。
【図４】図１のＡ−Ａ線断面図である。
【図５】単頭プラグ装着状態の断面図である。
【図６】単頭ジャックの後部の拡大斜視図である。
【図７】プラグ保持部材の斜視図である。
【図８】単頭プラグとプラグ保持部材の係合状態を示す正面図である。
【発明を実施するための形態】
【００１１】
以下、本発明の実施形態を図面に基づいて説明する。
図１は、本発明の単頭ジャックの側面図、図２は、後面図、図３は、斜視図、図４は、図１のＡ−Ａ線断面図である。
【００１２】
単頭ジャック１は、プラグ差込部２を有する絶縁材からなるハウジング３を備え、このプラグ差込部２には、後述する単頭プラグ１３の電極と導電接触する複数の導電端子４を備えている。ハウジング３のプラグ差込部２の前端付近にはプラグ挿入を検知するためのプラグ挿入検知スイッチ２３が設けられている。ハウジング３の外側は、金属製のシールド部材２１により全体がシールドされている。
【００１３】
プラグ差込部２の後端部（図１の左端部）には、導電端子を兼ねるプラグ保持部材５が取り付けられている。このプラグ保持部材５は、ばね製の金属部材で構成され、図７に示すように、板状の本体部６の両側に略直角に折曲された側板部７が形成され、この側板部７の上端に、内向きに折曲された保持舌片８が形成されている。保持舌片８の先端面８aは略円弧状に形成されている。本体部６の前部には脚片９が形成され、後部には半田付け片１０が形成されている。
【００１４】
図６に示すように、プラグ保持部材５は、プラグ差込部２の後端部２aの下部に挿入され、ハウジング３の底部に取付けられた底板１１にねじ込まれた止ねじ１２（図３参照）により本体部６が固定されている。プラグ保持部材５の側板部７は後端部２aの外側から立ち上り、保持舌片８が後端部２aの切欠部２ｂからプラグ挿入部２の内部に突出している。脚片９はハウジング３の内壁に当接し、半田付け片１０は底板１１の後端から突出している。
【００１５】
図５は、単頭プラグ１３を単頭ジャック１のプラグ挿入部２に装着した最終ストロークの状態を示している。
【００１６】
単頭プラグ１３は、複数の電極１４a、１４ｂ、１４ｃ、１４ｄと、各々の電極１４a〜１４ｄ間を絶縁する絶縁カラー１５とからなる心棒１６を有する。先端の第１の電極１４aは、先端に向かって先太りとなる傾斜面１７を有し、最大径部分１８から先端に向けて先細りの傾斜面１９を有している。心棒１６の根元にはつまみ２０が設けられている。
【００１７】
単頭プラグ１３を単頭ジャック１に挿入すると、先ず、プラグ挿入検知スイッチ２３がこれを検知する。プラグ挿入の最終ストロークに近くなると、先端の先き細りの傾斜面１９が保持舌片８に当たり、ばね性の側板部７を押し広げつつ進入し、最大径部分８を乗り越え、最終的に図５に示すように、先太りの傾斜面１７に保持舌片８が弾力的に当接する（図８参照）。これにより、単頭プラグ１３の抜去力が強化され、電線コードの重力などにより、単頭プラグ１３に引き抜き力がかかっても、単頭プラグ１３が単頭ジャック１から抜けるのを防止することができる。プラグ保持部材５の半田付け片１０は基板に半田付けされ、単頭プラグ１３の第１の電極１４aの導電端子としての機能も果たしている。
【符号の説明】
【００１８】
１    単頭ジャック
２    プラグ差込部
３    ハウジング
５    プラグ保持部材
６    本体部
７    側板部
８    保持舌片
１０  半田付け片
１７  先太り傾斜面
１０が形成されている。
【図１】
2012048826.tif 000003
【図２】
2012048826.tif 000004
【図３】
2012048826.tif 000005
【図４】
2012048826.tif 000006
【図５】
2012048826.tif 000007
【図６】
2012048826.tif 000008
【図７】
2012048826.tif 000009
【図８】
2012048826.tif 000010